(57)【要約】【課題】書込みがなされていないにもかかわらず点灯してしまう放電セルを有するプラズマディスプレイパネルを検出する。【解決手段】行方向に形成された走査電極および維持電極からなる表示電極対と列方向に形成されたデータ電極とを有する放電セルを複数備えたプラズマディスプレイパネルを、放電セルで初期化放電を発生させる初期化期間と、放電セルに選択的に書込みパルス電圧を印加して書込み放電を発生させる書込み期間と、書込み期間において選択された放電セルで輝度重みに応じた回数の維持放電を発生させる維持期間とを有するサブフィールドを１フィールド期間内に複数設けて駆動し、所定のサブフィールドで検査対象の放電セルに書込みパルス電圧を印加し、少なくともその直後のサブフィールドでは検査対象の放電セルに書込みパルス電圧を印加しない。【選択図】図７
2007305442.tif 000002
【特許請求の範囲】
【請求項１】
行方向に形成された走査電極および維持電極からなる表示電極対と列方向に形成されたデータ電極とを有する放電セルを複数備えたプラズマディスプレイパネルを、前記放電セルで初期化放電を発生させる初期化期間と、前記放電セルに選択的に書込みパルス電圧を印加して書込み放電を発生させる書込み期間と、前記書込み期間において選択された放電セルで輝度重みに応じた回数の維持放電を発生させる維持期間とを有するサブフィールドを１フィールド期間内に複数設けて駆動し、前記放電セルを点灯させるサブフィールドを組み合わせて階調表示を行うプラズマディスプレイパネルの点灯検査方法であって、
所定のサブフィールドで検査対象の放電セルに前記書込みパルス電圧を印加し、少なくともその直後のサブフィールドでは前記検査対象の放電セルに前記書込みパルス電圧を印加しない
ことを特徴とするプラズマディスプレイパネルの点灯検査方法。
【請求項２】
所定のサブフィールドで検査対象の放電セルに前記書込みパルス電圧を印加し、その直後のサブフィールドから少なくともそのフィールドの最後のサブフィールドまで前記検査対象の放電セルに前記書込みパルス電圧を印加しない
ことを特徴とする請求項１に記載のプラズマディスプレイパネルの点灯検査方法。
【請求項３】
所定のサブフィールド、および少なくともその直後のサブフィールドで、前記検査対象の放電セルに隣接する放電セルの少なくとも１つの放電セルに前記書込みパルス電圧を印加しない
ことを特徴とする請求項１または請求項２に記載のプラズマディスプレイパネルの点灯検査方法。
【請求項４】
所定のサブフィールド、および少なくともその直後のサブフィールドで、前記検査対象の放電セルに隣接する放電セルの少なくとも１つの放電セルに前記書込みパルス電圧を印加する
ことを特徴とする請求項１または請求項２に記載のプラズマディスプレイパネルの点灯検査方法。
【請求項５】
所定のサブフィールドに続く３つのサブフィールドのうちの少なくとも１つのサブフィールドにおいて、前記検査対象の放電セルに隣接する放電セルの少なくとも１つの放電セルに前記書込みパルス電圧を印加する
ことを特徴とする請求項１または請求項２に記載のプラズマディスプレイパネルの点灯検査方法。
【請求項６】
フィールド内の最初のサブフィールドから所定のサブフィールドの直前のサブフィールドまでの間に、前記検査対象の放電セルおよび前記検査対象の放電セルに隣接する全ての放電セルに前記書込みパルス電圧を印加するサブフィールドを少なくとも１つ設けた
ことを特徴とする請求項４または請求項５に記載のプラズマディスプレイパネルの点灯検査方法。
【発明の詳細な説明】
【技術分野】
【０００１】
本発明は、壁掛けテレビや大型モニターに用いられるプラズマディスプレイパネルの点灯検査方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。
【０００３】
前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。
【０００４】
そして、表示電極対とデータ電極とが立体交差するように前面板と背面板とが対向配置されて密封され、内部の放電空間には、例えば分圧比で約５％のキセノンを含む放電ガスが封入されている。ここで表示電極対とデータ電極との対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００５】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００６】
各サブフィールドは、初期化期間、書込み期間および維持期間を有し、初期化期間では初期化放電を発生し、続く書込み動作に必要な壁電荷を各電極上に形成する。初期化動作には、全ての放電セルで初期化放電を発生させる初期化動作（以下、「全セル初期化動作」と略記する）と、維持放電を行った放電セルで初期化放電を発生させる初期化動作（以下、「選択初期化動作」と略記する）とがある。
【０００７】
書込み期間では、表示を行うべき放電セルに選択的に書込みパルス電圧を印加して書込み放電を発生させ壁電荷を形成する（以下、この動作を「書込み」とも記す）。そして維持期間では、走査電極と維持電極とからなる表示電極対に交互に維持パルスを印加し、書込み放電を起こした放電セルで維持放電を発生させ、対応する放電セルの蛍光体層を発光させることにより放電セルを点灯させて画像表示を行う。
【０００８】
このサブフィールド法では、例えば、複数のサブフィールドのうち、１つのサブフィールドの初期化期間においては全ての放電セルを放電させる全セル初期化動作を行い、他のサブフィールドの初期化期間においては維持放電を行った放電セルに対して選択的に初期化放電を行うことで、階調表示に関係しない発光を極力減らしコントラスト比を向上させることが可能である。
【０００９】
上述したように、パネルの画像表示面はマトリクス状に敷き詰められた多数の放電セルにより形成され、各放電セルの点灯／非点灯を書込みの有無によって制御することで画像を表示している。したがって、書込みがなされた放電セルが点灯し、書込みがなされなかった放電セルが点灯しないことが重要であり、これらの動作がきちんとなされないと画像表示に関して品質劣化が生じてしまう。
【００１０】
そこで、書込みがなされたにもかかわらず点灯しない放電セルを有するパネルを検出するための検査方法が開示されている（例えば、特許文献１参照）。
【特許文献１】特開２００５−１８３３６７号公報
【発明の開示】
【発明が解決しようとする課題】
【００１１】
このような、書込みがなされたにもかかわらず点灯しない放電セルが発生するのは、隣接する放電セル同士を区画するための隔壁に盛り上がりや欠損が生じ、その隙間を通って隣接する放電セルから荷電粒子が侵入して壁電荷を減少させてしまうことが主な原因と考えられている。そして、このような放電セルを見つけ出すために、上述した技術は効果を発する。
【００１２】
一方、画像表示に関して品質劣化を生じさせてしまう他の要因として、書込みがなされていないにもかかわらず点灯してしまう放電セルの存在がある。そして、上述した技術では、このような放電セルを見つけ出すことはできなかった。
【００１３】
本発明はこれらの課題に鑑みなされたものであり、書込みがなされていないにもかかわらず点灯してしまう放電セルを有するパネルを検出するためのパネルの点灯検査方法を提供することを目的とする。
【課題を解決するための手段】
【００１４】
本発明のパネルの点灯検査方法は、行方向に形成された走査電極および維持電極からなる表示電極対と列方向に形成されたデータ電極とを有する放電セルを複数備えたパネルを、放電セルで初期化放電を発生させる初期化期間と、放電セルに選択的に書込みパルス電圧を印加して書込み放電を発生させる書込み期間と、書込み期間において選択された放電セルで輝度重みに応じた回数の維持放電を発生させる維持期間とを有するサブフィールドを１フィールド期間内に複数設けて駆動し、放電セルを点灯させるサブフィールドを組み合わせて階調表示を行うパネルの点灯検査方法であって、所定のサブフィールドで検査対象の放電セルに書込みパルス電圧を印加し、少なくともその直後のサブフィールドでは検査対象の放電セルに書込みパルス電圧を印加しないことを特徴とする。この方法により、書込みがなされていないにもかかわらず点灯してしまう放電セルを有するパネルを検出することが可能となる。
【００１５】
また、本発明のパネルの点灯検査方法は、所定のサブフィールドで検査対象の放電セルに書込みパルス電圧を印加し、その直後のサブフィールドから少なくともそのフィールドの最後のサブフィールドまで検査対象の放電セルに書込みパルス電圧を印加しない構成としてもよい。この方法によれば、書込みがなされていないにもかかわらず点灯してしまう放電セルを見つけ出すことがより容易になる。
【００１６】
また、本発明のパネルの点灯検査方法は、所定のサブフィールド、および少なくともその直後のサブフィールドで、検査対象の放電セルに隣接する放電セルの少なくとも１つの放電セルに書込みパルス電圧を印加しない構成としてもよい。この方法によれば、誘電体層の欠損等によって放電開始電圧が低下することで、書込みがなされていないにもかかわらず点灯してしまう放電セルを見つけ出すことが可能となる。
【００１７】
また、本発明のパネルの点灯検査方法は、所定のサブフィールド、および少なくともその直後のサブフィールドで、検査対象の放電セルに隣接する放電セルの少なくとも１つの放電セルに書込みパルス電圧を印加する構成であってもよい。この方法によれば、隣接する放電セル同士を区画する隔壁の欠損等により、隣接する放電セルから紫外線が洩れ入ってくることで、書込みがなされていないにもかかわらず点灯してしまう放電セルを見つけ出すことが可能となる。
【００１８】
また、本発明のパネルの点灯検査方法は、所定のサブフィールドに続く３つのサブフィールドのうちの少なくとも１つのサブフィールドにおいて、検査対象の放電セルに隣接する放電セルの少なくとも１つの放電セルに書込みパルス電圧を印加する構成であってもよい。この方法によれば、隣接する放電セル同士を区画する隔壁の欠損等により、隣接する放電セルから紫外線が洩れ入ってくることで、書込みがなされていないにもかかわらず点灯してしまう放電セルの有無を、初期化放電によって発生した荷電粒子（プライミング粒子）が残留している期間に検査することが可能となる。
【００１９】
また、本発明のパネルの点灯検査方法は、フィールド内の最初のサブフィールドから所定のサブフィールドの直前のサブフィールドまでの間に、検査対象の放電セルおよび検査対象の放電セルに隣接する全ての放電セルに書込みパルス電圧を印加するサブフィールドを少なくとも１つ設けた構成であってもよい。この方法によれば、隣接する放電セルから紫外線が洩れ入ってくることで、書込みがなされていないにもかかわらず点灯してしまう放電セルの有無を検査するのに有用な荷電粒子を、より確実に発生させることが可能となる。
【発明の効果】
【００２０】
本発明によれば、書込みがなされていないにもかかわらず点灯してしまう放電セルを有するパネルを検出するためのパネルの点灯検査方法を提供することが可能となる。
【発明を実施するための最良の形態】
【００２１】
以下、本発明の実施の形態におけるパネルの点灯検査方法を実施するために使用する点灯検査装置について、図面を用いて説明する。
【００２２】
（実施の形態１）
図１は、本発明の実施の形態１におけるパネル１０の構造を示す分解斜視図である。ガラス製の前面板２１上には、走査電極２２と維持電極２３とからなる表示電極対２８が複数形成されている。そして走査電極２２と維持電極２３とを覆うように誘電体層２４が形成され、その誘電体層２４上に保護層２５が形成されている。背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２３】
これら前面板２１と背面板３１とは、微小な放電空間を挟んで表示電極対２８とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２８とデータ電極３２とが交差する部分に放電セルが形成されている。そしてこれらの放電セルが放電、発光することにより画像が表示される。
【００２４】
なお、パネルの構造は上述したものに限られるわけではなく、例えばストライプ状の隔壁を備えたものであってもよい。
【００２５】
図２は、本発明の実施の形態１におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｎ×ｍ個形成されている。
【００２６】
図３は、本発明の実施の形態１におけるパネル１０の画像表示面における放電セルの配列を示した概略図である。図面に示すように、パネル１０の画像表示面には、赤の蛍光体層３５が設けられた放電セル（以下、「Ｒセル」と略記する）１３と、緑の蛍光体層３５が設けられた放電セル（以下、「Ｇセル」と略記する）１４と、青の蛍光体層３５が設けられた放電セル（以下、「Ｂセル」と略記する）１５とがｎ行ｍ列のマトリクス状に敷き詰められている。そして、列方向には同じ色の放電セルが配列され、行方向にはＲセル１３、Ｇセル１４、Ｂセル１５というように異なる色の放電セルが順番に配列されている。
【００２７】
次に、パネル１０を駆動するための駆動電圧波形とその動作について説明する。プラズマディスプレイ装置は、サブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を有する。
【００２８】
初期化期間では初期化放電を発生し、続く書込み放電に必要な壁電荷を各電極上に形成する。このときの初期化動作には、全ての放電セルで初期化放電を発生させる初期化動作（以下、「全セル初期化動作」と略記する）と、維持放電を行った放電セルで初期化放電を発生させる初期化動作（以下、「選択初期化動作」と略記する）とがある。
【００２９】
書込み期間では、発光させるべき放電セルで選択的に書込み放電を発生し壁電荷を形成する。そして維持期間では、輝度重みに比例した数の維持パルスを表示電極対２８に交互に印加して、書込み放電を発生した放電セルで維持放電を発生させて発光させる。このときの比例定数を輝度倍率と呼ぶ。
【００３０】
図４は、本発明の実施の形態１におけるパネル１０の各電極に印加する駆動電圧波形図である。図４には、全セル初期化動作を行うサブフィールドと選択初期化動作を行うサブフィールドとを示している。
【００３１】
まず、全セル初期化動作を行うサブフィールドについて説明する。
【００３２】
初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。
【００３３】
この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００３４】
初期化期間後半部では、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により、全ての放電セルに対して初期化放電を行う全セル初期化動作が終了する。
【００３５】
続く書込み期間では、維持電極ＳＵ１〜ＳＵｎに電圧Ｖｅ２を、走査電極ＳＣ１〜ＳＣｎに電圧Ｖｃを印加する。
【００３６】
次に、１行目の走査電極ＳＣ１に負の走査パルス電圧Ｖａを印加するとともに、データ電極Ｄ１〜Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００３７】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００３８】
続く維持期間では、まず走査電極ＳＣ１〜ＳＣｎに正の維持パルス電圧Ｖｓを印加するとともに維持電極ＳＵ１〜ＳＵｎに０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００３９】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４０】
続いて、走査電極ＳＣ１〜ＳＣｎには０（Ｖ）を、維持電極ＳＵ１〜ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対の電極間に電位差を与えることにより、書込み期間において書込み放電を起こした放電セルで維持放電が継続して行われる。
【００４１】
そして、維持期間の最後には走査電極ＳＣ１〜ＳＣｎと維持電極ＳＵ１〜ＳＵｎとの間にいわゆる細幅パルス状の電圧差を与えて、データ電極Ｄｋ上の正の壁電圧を残したまま、走査電極ＳＣｉおよび維持電極ＳＵｉ上の壁電圧を消去している。具体的には、維持電極ＳＵ１〜ＳＵｎを一旦０（Ｖ）に戻した後、走査電極ＳＣ１〜ＳＣｎに維持パルス電圧Ｖｓを印加する。すると、維持放電を起こした放電セルの維持電極ＳＵｉと走査電極ＳＣｉとの間で維持放電が起こる。そしてこの放電が収束する前、すなわち放電で発生した荷電粒子が放電空間内に十分残留している間に維持電極ＳＵ１〜ＳＵｎに電圧Ｖｅ１を印加する。これにより維持電極ＳＵｉと走査電極ＳＣｉとの間の電圧差が（Ｖｓ−Ｖｅ１）の程度まで弱まる。すると、データ電極Ｄｋ上の正の壁電荷を残したまま、走査電極ＳＣ１〜ＳＣｎ上と維持電極ＳＵ１〜ＳＵｎ上との間の壁電圧はそれぞれの電極に印加した電圧の差（Ｖｓ−Ｖｅ１）の程度まで弱められる。以下、この放電を「消去放電」と呼ぶ。
【００４２】
このように、最後の維持放電、すなわち消去放電を発生させるための電圧Ｖｓを走査電極ＳＣ１〜ＳＣｎに印加した後、表示電極対の電極間の電位差を緩和するための電圧Ｖｅ１を維持電極ＳＵ１〜ＳＵｎに印加する。こうして維持期間における維持動作が終了する。
【００４３】
次に、選択初期化動作を行うサブフィールドの動作について説明する。
【００４４】
選択初期化期間では、維持電極ＳＵ１〜ＳＵｎに電圧Ｖｅ１を、データ電極Ｄ１〜Ｄｍに０（Ｖ）をそれぞれ印加したまま、走査電極ＳＣ１〜ＳＣｎに電圧Ｖｉ３’から電圧Ｖｉ４に向かって緩やかに下降するランプ電圧を印加する。
【００４５】
すると前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。
【００４６】
一方、前のサブフィールドで維持放電を起こさなかった放電セルについては放電することはなく、前のサブフィールドの初期化期間終了時における壁電荷がそのまま保たれる。このように選択初期化動作は、直前のサブフィールドの維持期間で維持動作を行った放電セルに対して選択的に初期化放電を行う動作である。
【００４７】
続く書込み期間の動作は全セル初期化動作を行うサブフィールドの書込み期間の動作と同様であるため説明を省略する。続く維持期間の動作も維持パルスの数を除いて同様である。
【００４８】
次に、サブフィールド構成について説明する。図５は、本発明の実施の形態１におけるサブフィールド構成の一例を示す図である。図５はサブフィールド法における１フィールド間の駆動電圧波形を略式に記したもので、それぞれのサブフィールドの駆動電圧波形は図４の駆動電圧波形と同等なものである。
【００４９】
本実施の形態においては、１フィールドを８のサブフィールド（第１ＳＦ、第２ＳＦ、・・・、第８ＳＦ）に分割し、各サブフィールドはそれぞれ（１、２、４、８、１６、３２、６４、１２８）の輝度重みを持つ。また各サブフィールドの維持期間においては、それぞれのサブフィールドの輝度重みに応じた数の維持パルスが表示電極対２８のそれぞれに印加される。したがって、点灯させるサブフィールドの組み合わせによって０から２５５までの２５６階調を表示することができる。そして、サブフィールドのそれぞれは、初期化期間に全セル初期化動作を行うサブフィールド（以下、「全セル初期化サブフィールド」と略記する）か、初期化期間に選択初期化動作を行うサブフィールド（以下、「選択初期化サブフィールド」と略記する）かのどちらかであり、本実施の形態では、第１ＳＦを全セル初期化サブフィールドとし、第２ＳＦ〜第８ＳＦを選択初期化サブフィールドとする。これにより、第２ＳＦ〜第８ＳＦの初期化期間においては維持放電を行った放電セルに対してのみ選択的に初期化放電が行われ、階調表示に関係しない発光を極力減らすことができるので、コントラスト比を向上させることが可能である。しかし、本実施の形態は、サブフィールド数や各サブフィールドの輝度重みが上記の値に限定されるものではなく、また、パネルの仕様等にもとづいてサブフィールド構成を切換える構成であってもよい。
【００５０】
図６は、本発明の実施の形態１における点灯検査装置の回路ブロック図である。点灯検査装置は、パネル１０の点灯検査を行うためのデータ電極駆動回路５２、走査電極駆動回路５３、維持電極駆動回路５４、制御用コンピュータ５１、プログラマブルメモリ５７、タイミング発生回路５５、および各回路ブロックに必要な電源を供給する電源回路（図示せず）を備えている。そして、データ電極駆動回路５２、走査電極駆動回路５３および維持電極駆動回路５４にはパネル１０を着脱可能に接続することができ、検査を終了したパネル１０を未検査のパネル１０と交換することができる。
【００５１】
本実施の形態における点灯検査装置は、制御用コンピュータ５１が後述する検査パタン（以下、「書込みパタン」と記す）を作成し、その書込みパタンで各駆動回路を制御してパネル１０の点灯検査を行うことができるように構成している。制御用コンピュータ５１が作成する書込みパタンは、書込み期間においてデータ電極Ｄ１〜Ｄｍに印加する書込みパルス電圧の印加パタンであり、その書込みパタンを表す信号は、制御用コンピュータ５１からプログラマブルメモリ５７に転送され、タイミング発生回路５５からの読み出しが可能なようにプログラマブルメモリ５７に格納される。
【００５２】
タイミング発生回路５５は、水平同期信号Ｈ、垂直同期信号Ｖおよびプログラマブルメモリ５７から読み出した検査パタンにもとづき各駆動回路の動作を制御する各種のタイミング信号を発生し、それぞれの駆動回路へ供給する。
【００５３】
そして、タイミング発生回路５５からのタイミング信号にもとづき、データ電極駆動回路５２はデータ電極Ｄ１〜Ｄｍを駆動するための上述した駆動電圧波形を生成して各データ電極Ｄ１〜Ｄｍをそれぞれ駆動し、走査電極駆動回路５３は走査電極ＳＣ１〜ＳＣｎを駆動するための上述した駆動電圧波形を生成して各走査電極ＳＣ１〜ＳＣｎをそれぞれ駆動し、維持電極駆動回路５４は維持電極ＳＵ１〜ＳＵｎを駆動するための上述した駆動電圧波形を生成して各維持電極ＳＵ１〜ＳＵｎをそれぞれ駆動する。こうして、パネル１０を点灯検査するための駆動を行う。
【００５４】
ここで、パネル１０においては、誘電体層２４、３３に異物が混入したり、あるいは誘電体層２４、３３内に生じた気泡によって部分的に層が薄くなってしまうことがある。このような誘電体層の欠陥は、その欠陥を有する放電セルの放電開始電圧を引き下げてしまい、書込みがなされていない放電セルにおいて維持パルス電圧の印加だけで放電開始電圧を超えて維持放電を発生させ、点灯させてしまう恐れがある。
【００５５】
そして、そのような現象は、書込みを行って維持放電を発生させたサブフィールドの直後のサブフィールドにおいて比較的発生しやすい。これは、維持期間で維持動作を行った放電セルに対して選択的に初期化放電を行う選択初期化動作により、放電セル内の状態が比較的放電が発生しやすい状態になっていることによると思われる。さらに、一旦維持放電が発生することで、それ以降のサブフィールドにおいても、維持放電が継続して発生する可能性が高くなる。そこで、本実施の形態では、そのような欠陥を有する放電セルを検出するためのパネルの点灯検査を行う。
【００５６】
次に、この点灯検査を行う方法について説明する。図７は、本発明の実施の形態１における書込みパタンの一例を示した図である。なお、ここでの書込みパタンとは、各サブフィールドの書込み期間において書込みパルス電圧を印加して書込みを行うか、あるいは書込みパルス電圧を印加せずに書込みを行わないかを示したパタンであり、図面において「○」は書込みを行うことを表し、「×」は書込みを行わないことを表す。また、パネル１０の各電極に印加する駆動電圧波形は図４に示したものと同様である。
【００５７】
図７（ａ）に示すように、この書込みパタンでは、偶数行（図面中、２Ｎ、２（Ｎ＋１）で示す。Ｎは自然数）、奇数行（図面中２Ｎ＋１で示す）における全てのＲセル、Ｇセル、Ｂセルにおいて、第１ＳＦから第３ＳＦまで連続して書込みを行い、第４ＳＦ以降第８ＳＦまで連続して書込みを行わない。したがって、正常な放電セルにおいては、図７（ｂ）に示すように、第３ＳＦから第４ＳＦで点灯状態から非点灯状態に切換わる。すなわち、第４ＳＦ以降において点灯する放電セルを検出することで、正常でない放電セルの検出が可能となる。
【００５８】
このとき、本実施の形態では、第１ＳＦから第３ＳＦまで連続して書込みを行うことで、第４ＳＦにおいて放電セルが放電を発生しやすい状態となるようにしている。さらに、第１ＳＦから第３ＳＦまでの輝度重みの合計がピーク輝度に対して７／２５５と低く、かつ第１ＳＦから第３ＳＦまでの輝度重みの合計よりも輝度重みの大きい第４ＳＦ以降第８ＳＦまで連続して書込みを行わないようにすることで、周囲に比べて明るく光る放電セルを異常点灯する放電セルとして容易に検出できるようにしている。
【００５９】
このように、本実施の形態では、所定のサブフィールドで検査対象の放電セルに書込みパルス電圧を印加し、少なくともその直後のサブフィールドでは検査対象の放電セルに書込みパルス電圧を印加しないようにすることで、書込みがなされていないにもかかわらず維持放電が発生して異常点灯してしまう放電セルを検出することが可能となる。
【００６０】
なお、本実施の形態では、第１ＳＦから第３ＳＦまで連続して書込みを行い、第４ＳＦ以降第８ＳＦまで連続して書込みを行わない構成を説明したが、何らこの構成に限定されるものではない。図８は、本発明の実施の形態１における書込みパタンの他の例を示した図である。例えば、図８（ａ）に示すように、第１ＳＦから第４ＳＦまで連続して書込みを行い、第５ＳＦ以降第８ＳＦまで連続して書込みを行わないようにしてもよい。この場合においても、第１ＳＦから第３ＳＦまでの輝度重みの合計はピーク輝度に対して１５／２５５と低く、かつ第１ＳＦから第４ＳＦまでの輝度重みの合計よりも輝度重みの大きい第５ＳＦ以降第８ＳＦまで連続して書込みを行わないようにしているので、周囲に比べて明るく光る放電セルを異常点灯する放電セルとして容易に検出することができる。
【００６１】
図９は、本発明の実施の形態１における書込みパタンのさらに他の例を示した図である。例えば、図９（ａ）に示すように、第１ＳＦにおいて書込みを行わず、第２ＳＦから第４ＳＦまで連続して書込みを行い、第５ＳＦ以降第８ＳＦまで連続して書込みを行わないようにしてもよい。あるいは、図９（ｂ）に示すように、第２ＳＦにおいて書込みを行わず、第１ＳＦ、および第３ＳＦ、第４ＳＦにおいて書込みを行い、第５ＳＦ以降第８ＳＦまで連続して書込みを行わないようにしてもよい。このように、例えば第１ＳＦ、第２ＳＦのような輝度重みの小さいサブフィールドであれば、そのサブフィールドにおいて書込みを行わなくとも、図７、図８に示したものと同様の効果を得ることができる。
【００６２】
また、本実施の形態では、偶数行、奇数行における全てのＲセル、Ｇセル、Ｂセルにおいて、第１ＳＦから第３ＳＦまで連続して書込みを行い、第４ＳＦ以降第８ＳＦまで連続して書込みを行わない構成を説明した。しかし、何らこの構成に限定されるものではなく、特定の行、あるいは特定の列、あるいは特定の放電セルにおいて異常点灯する放電セルを検出する構成としてもよい。
【００６３】
図１０は、本発明の実施の形態１における書込みパタンのさらに他の例を示した図である。例えば、図１０（ａ）に示すように、偶数行における全てのＲセル、Ｇセル、Ｂセルにおいては、第１ＳＦから第８ＳＦまでの全てのサブフィールドにおいて書込みを行わず、奇数行における全てのＲセル、Ｇセル、Ｂセルにおいては、第１ＳＦから第３ＳＦまで連続して書込みを行い、第４ＳＦ以降第８ＳＦまで連続して書込みを行わないようにしてもよい。この場合、図１０（ｂ）に示すように、奇数行にあるＲセル、Ｇセル、Ｂセルの各放電セルにおいて、第３ＳＦから第４ＳＦで点灯状態から非点灯状態に切換わる。すなわち、第４ＳＦ以降において点灯する放電セルを検出することで、奇数行における放電セルの点灯検査を行うことができる。この場合、奇数行と偶数行とで書込みパタンを入れ替えることで、偶数行における点灯検査を行うことができる。
【００６４】
図１１は、本発明の実施の形態１における書込みパタンのさらに他の例を示した図である。例えば、図１１（ａ）に示すように、偶数行、奇数行における全てのＧセル、Ｂセルにおいては、第１ＳＦから第８ＳＦまでの全てのサブフィールドにおいて書込みを行わず、偶数行、奇数行における全てのＲセルにおいては、第１ＳＦから第３ＳＦまで連続して書込みを行い、第４ＳＦ以降第８ＳＦまで連続して書込みを行わないようにしてもよい。この場合、図１１（ｂ）に示すように、Ｒセルの各放電セルにおいて、第３ＳＦから第４ＳＦで点灯状態から非点灯状態に切換わる。すなわち、第４ＳＦ以降において点灯する放電セルを検出することで、Ｒセルにおける放電セルの点灯検査を行うことができる。この場合、ＲセルとＢセルまたはＧセルとで書込みパタンを入れ替えることで、ＢセルまたはＧセルにおける点灯検査を行うことができる。
【００６５】
図１２は、本発明の実施の形態１における書込みパタンのさらに他の例を示した図である。例えば、図１２（ａ）に示すように、偶数行、奇数行における全てのＧセル、Ｂセルおよび偶数行における全てのＲセルにおいては、第１ＳＦから第８ＳＦまでの全てのサブフィールドにおいて書込みを行わず、奇数行における全てのＲセルにおいては、第１ＳＦから第３ＳＦまで連続して書込みを行い、第４ＳＦ以降第８ＳＦまで連続して書込みを行わないようにしてもよい。この場合、図１２（ｂ）に示すように、奇数行にあるＲセルにおいて、第３ＳＦから第４ＳＦで点灯状態から非点灯状態に切換わる。すなわち、第４ＳＦ以降において点灯する放電セルを検出することで、奇数行にあるＲセルにおける放電セルの点灯検査を行うことができる。この場合、奇数行と偶数行とで書込みパタンを入れ替えることで、あるいはＲセルとＢセルまたはＧセルとで書込みパタンを入れ替えることで、偶数行にあるＲセルや、奇数行または偶数行にあるＢセルまたはＧセルにおける点灯検査を行うことができる。
【００６６】
（実施の形態２）
実施の形態１では、誘電体層２４、３３に異物が混入したり、あるいは誘電体層２４、３３内に生じた気泡によって部分的に層が薄くなってしまうことで放電セルの放電開始電圧が下がり、書込みがなされていないにもかかわらず維持放電が発生し、点灯してしまう放電セルを検出する構成について説明した。しかし、書込みがなされないまま点灯してしまう放電セルが発生する原因については、これ以外にも、例えば隔壁３４の欠損によるもの等がある。
【００６７】
例えば、隔壁３４に欠損等が生じて本来の高さよりも低く形成されてしまうと、隣接する放電セルでの維持放電によって発生した紫外線を遮断することができず、そこから洩れ込んできた紫外線によって蛍光体が励起されて発光してしまうことがある。そして、そのような隔壁３４の欠損等によって発生する放電セルの異常点灯は、実施の形態１に記した書込みパタンでは検出することが難しい。
【００６８】
そこで、本実施の形態では、そのような隔壁３４の欠損等によって異常点灯してしまう放電セルを検出するための書込みパタンについて説明する。なお、本実施の形態におけるパネル１０の構造や各電極に印加する駆動電圧波形、および点灯検査装置の構成等は実施の形態１に示したものと同様であるため、説明を省略する。
【００６９】
図１３は、本発明の実施の形態２における書込みパタンの一例を示した図である。図１３（ａ）に示すように、この書込みパタンでは、奇数行における全てのＲセル、Ｇセル、Ｂセルにおいては、第１ＳＦから第３ＳＦまで連続して書込みを行い、第４ＳＦ以降第８ＳＦまで連続して書込みを行わず、偶数行における全てのＲセル、Ｇセル、Ｂセルにおいては、第１ＳＦから第５ＳＦまで連続して書込みを行い、第６ＳＦ以降第８ＳＦまで連続して書込みを行わない。
【００７０】
したがって、奇数行にあるＲセル、Ｇセル、Ｂセルの各放電セルが正常な隔壁によって偶数行の放電セルと区画されていれば、図１３（ｂ）に示すように、奇数行にある放電セルは第３ＳＦから第４ＳＦで点灯状態から非点灯状態に切換わる。すなわち、第４ＳＦ以降において点灯する奇数行の放電セルを検出することで、異常点灯する放電セルを検出することが可能となる。
【００７１】
このとき、本実施の形態では、奇数行における点灯サブフィールドである第１ＳＦから第３ＳＦまでの輝度重みの合計がピーク輝度に対して７／２５５と低く、かつ偶数行においては第１ＳＦから第３ＳＦまでの輝度重みの合計よりも輝度重みの大きい第４ＳＦと第５ＳＦとで連続して書込みを行うことで、周囲に比べて明るく光る放電セルを異常点灯する放電セルとして容易に検出できるようにしている。さらに、第１ＳＦから第３ＳＦまでは全ての放電セルで維持放電を発生させることで十分な荷電粒子を発生させ、その荷電粒子が多数残留していると考えられる第４ＳＦと第５ＳＦとで検査対象の放電セルに隣接する放電セルで維持放電を発生させることで、隔壁３４の欠損等による異常点灯の発光強度を高め、検出をより容易にしている。
【００７２】
このように、本実施の形態では、所定のサブフィールドで検査対象の放電セルに書込みパルス電圧を印加し、少なくともその直後のサブフィールドでは検査対象の放電セルに書込みパルス電圧を印加しないようにするとともに、検査対象に隣接する放電セルには引き続き書込みパルス電圧を印加して維持放電を継続させることで、隔壁３４の欠損等によって隣接する放電セルから洩れ込んでくる紫外線によって蛍光体が発光し、書込みがなされていないにもかかわらず異常点灯してしまう放電セルを検出することができる。
【００７３】
なお、本実施の形態では、奇数行、偶数行における全てのＲセル、Ｇセル、Ｂセルにおいて第１ＳＦから第３ＳＦまで連続して書込みを行い、偶数行における全てのＲセル、Ｇセル、Ｂセルにおいては、引き続き第４ＳＦ、第５ＳＦで連続して書込みを行う構成を説明したが、何らこの構成に限定されるものではない。図１４は、本発明の実施の形態２における書込みパタンの他の例を示した図である。例えば、図１４（ａ）に示すように、奇数行、偶数行における全てのＲセル、Ｇセル、Ｂセルにおいて第１ＳＦから第４ＳＦまで連続して書込みを行うとともに偶数行における全てのＲセル、Ｇセル、Ｂセルにおいては引き続き第５ＳＦで書込みを行い、それ以外では書込みを行わないようにしてもよい。この場合においても、第１ＳＦから第４ＳＦまでの輝度重みの合計はピーク輝度に対して１５／２５５と低く、かつ偶数行においては第１ＳＦから第４ＳＦまでの輝度重みの合計よりも輝度重みの大きい第５ＳＦで書込みを行っているので、第５ＳＦにおいて点灯する奇数行の放電セルを検出することで、異常点灯する放電セルを検出することができる。なお、図１３、図１４に示した書込みパタンにおいては、偶数行と奇数行で書込みパタンを入れ替えることで、偶数行の放電セルにおける点灯検査を行うことができる。
【００７４】
図１５は、本発明の実施の形態２における書込みパタンのさらに他の例を示した図である。例えば、図１５（ａ）に示すように、奇数行、偶数行における全てのＲセル、Ｇセル、Ｂセルにおいて第１ＳＦから第３ＳＦまで連続して書込みを行うとともに奇数行、偶数行におけるＧセル、Ｂセルにおいては引き続き第４ＳＦ、第５ＳＦで連続して書込みを行い、それ以外では書込みを行わないようにしてもよい。この場合、図１５（ｂ）に示すように、Ｒセルの各放電セルにおいて、第３ＳＦから第４ＳＦで点灯状態から非点灯状態に切換わる。すなわち、第４ＳＦ、第５ＳＦにおいて点灯するＲセルを検出することで、Ｒセルにおける放電セルの点灯検査を行うことができる。この場合、ＲセルとＢセルまたはＧセルとで書込みパタンを入れ替えることで、ＢセルまたはＧセルにおける点灯検査を行うことができる。
【００７５】
図１６は、本発明の実施の形態２における書込みパタンのさらに他の例を示した図である。例えば、図１６（ａ）に示すように、奇数行、偶数行における全てのＲセル、Ｇセル、Ｂセルにおいて第１ＳＦから第４ＳＦまで連続して書込みを行うとともに奇数行、偶数行におけるＧセル、Ｂセルにおいては引き続き第５ＳＦで書込みを行い、それ以外では書込みを行わないようにしてもよい。この場合、図１６（ｂ）に示すように、Ｒセルの各放電セルにおいて、第４ＳＦから第５ＳＦで点灯状態から非点灯状態に切換わる。すなわち、第５ＳＦにおいて点灯するＲセルを検出することで、Ｒセルにおける放電セルの点灯検査を行うことができる。この場合、ＲセルとＢセルまたはＧセルとで書込みパタンを入れ替えることで、ＢセルまたはＧセルにおける点灯検査を行うことができる。
【００７６】
図１７は、本発明の実施の形態２における書込みパタンのさらに他の例を示した図である。例えば、図１７（ａ）に示すように、奇数行、偶数行における全てのＲセル、Ｇセル、Ｂセルにおいて第１ＳＦから第３ＳＦまで連続して書込みを行うとともに奇数行、偶数行におけるＧセル、Ｂセルにおいては引き続き第４ＳＦから第６ＳＦまで連続して書込みを行い、それ以外では書込みを行わないようにしてもよい。この場合、図１７（ｂ）に示すように、Ｒセルの各放電セルにおいて、第３ＳＦから第４ＳＦで点灯状態から非点灯状態に切換わる。すなわち、第４ＳＦから第６ＳＦにおいて点灯するＲセルを検出することで、Ｒセルにおける放電セルの点灯検査を行うことができる。この場合、ＲセルとＢセルまたはＧセルとで書込みパタンを入れ替えることで、ＢセルまたはＧセルにおける点灯検査を行うことができる。
【００７７】
図１８は、本発明の実施の形態２における書込みパタンのさらに他の例を示した図である。例えば、図１８（ａ）に示すように、奇数行、偶数行における全てのＲセル、Ｇセル、Ｂセルにおいて第１ＳＦから第３ＳＦまで連続して書込みを行うとともに偶数行におけるＲセルおよび奇数行、偶数行におけるＧセル、Ｂセルにおいては引き続き第４ＳＦ、第５ＳＦで連続して書込みを行い、それ以外では書込みを行わないようにしてもよい。この場合、図１８（ｂ）に示すように、奇数行にあるＲセルにおいて、第３ＳＦから第４ＳＦで点灯状態から非点灯状態に切換わる。すなわち、第４ＳＦ、第５ＳＦにおいて点灯する奇数行にあるＲセルを検出することで、奇数行におけるＲセルの点灯検査を行うことができる。この場合、奇数行と偶数行とで書込みパタンを入れ替えることで、あるいはＲセルとＢセルまたはＧセルとで書込みパタンを入れ替えることで、偶数行にあるＲセルや、奇数行または偶数行にあるＢセルまたはＧセルにおける点灯検査を行うことができる。
【００７８】
また、本実施の形態では、フィールド内の最初のサブフィールド（第１ＳＦ）から所定のサブフィールド（図１３、図１５、図１７、図１８の第３ＳＦ、図１４、図１６の第４ＳＦ）まで奇数行、偶数行における全てのＲセル、Ｇセル、Ｂセルにおいて連続して書込みを行う構成を説明したが、何らこの構成に限定されるものではない。本実施の形態では、フィールド内の最初のサブフィールドから所定のサブフィールドの直前のサブフィールドまでの間に、検査対象の放電セルおよび検査対象の放電セルに隣接する全ての放電セルに書込みパルス電圧を印加するサブフィールドを少なくとも１つ設ければよい。
【００７９】
図１９および図２０は、本発明の実施の形態２における書込みパタンのさらに他の例を示した図である。図１９に示した書込みパタンは図１６に示した書込みパタンとほぼ同様であり、図２０に示した書込みパタンは図１７に示した書込みパタンとほぼ同様である。ただし、図１９に示した書込みパタンが、図１６に示した書込みパタンと異なる点は、図１９（ａ）に示した書込みパタンでは第１ＳＦにおけるＲセルにおいて書込みを行わず、図１９（ｂ）に示した書込みパタンでは第２ＳＦにおけるＲセルにおいて書込みを行わない構成とした点である。また、図２０に示した書込みパタンが、図１７に示した書込みパタンと異なる点は、図２０（ａ）に示した書込みパタンでは第１ＳＦにおけるＧセル、Ｂセルにおいて書込みを行わず、図２０（ｂ）に示した書込みパタンでは第２ＳＦにおけるＧセル、Ｂセルにおいて書込みを行わない構成とした点である。
【００８０】
これらの図面に示すように、本実施の形態においては、必ずしもフィールド内の最初のサブフィールドから所定のサブフィールドまでの全ての放電セルに連続して書込みを行う必要はなく、フィールド内の最初のサブフィールドから所定のサブフィールドの直前のサブフィールドまでの間に、検査対象の放電セルおよび検査対象の放電セルに隣接する放電セルに書込みパルス電圧を印加するサブフィールドを少なくとも１つ設けることで、点灯検査に必要な荷電粒子を発生させることができる。
【００８１】
また、検査対象の放電セルに隣接する放電セルにおいては、所定のサブフィールドの直後のサブフィールドで書込みすることが望ましいが、必ずしもこの構成に限定されるものではなく、所定のサブフィールドの直後から３サブフィールド以内の少なくとも１つのサブフィールドにおいて書込みを行えば、本実施の形態における点灯検査を実施することが可能である。
【００８２】
なお、本発明の実施の形態における点灯検査装置においては、異常点灯する放電セルを検査員が目視で検出することも可能であり、その場合には、異常点灯する放電セルと正常な放電セルとを識別できるように、検査パタンを複数フィールド連続させる等して十分な検査期間を設けることが望ましい。
【００８３】
あるいは、異常点灯する放電セルと正常な放電セルとを自動で識別することができるＣＣＤカメラ等を備えた識別装置を構成し、本実施の形態における点灯検査装置と組み合わせて用いることも可能である。この構成では、高速な識別が可能であるため、例えば、１フィールドに付き１つの検査パタンとし、各種の検査パタン、例えばＲセル、Ｇセル、Ｂセル間での書込みパタンの入れ替えや偶数行と奇数行とで書込みパタンの入れ替え等、を１フィールド毎に切換えて検査することも可能であり、検査時間の短縮化を図ることができる。
【００８４】
なお、本発明の実施の実施の形態では、井桁状に隔壁３４を形成する構成を説明したが、行方向の隔壁を備えていない構成のパネルにおいても上述と同様に点灯検査を行うことができる。
【００８５】
また、本発明の実施の実施の形態では、点灯検査装置を用いてパネルの点灯検査を行う構成を説明したが、本発明の点灯検査方法を用いることで、各種駆動回路を備えたプラズマディスプレイ装置に対しても同様の点灯検査を行うことができる。
【００８６】
なお、本発明の実施の形態では、第１ＳＦを全セル初期化サブフィールドとし第２ＳＦ〜第１０ＳＦを選択初期化サブフィールドとするサブフィールド構成を例に挙げて説明を行ったが、必ずしもこのサブフィールド構成に限定されるものではなく、例えば全てのサブフィールドを選択初期化サブフィールドとする等、これ以外のサブフィールド構成であってもかまわない。
【００８７】
なお、本発明の実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００８８】
本発明のパネルの点灯検査方法は、書込みがなされていないにもかかわらず点灯してしまう放電セルを有するパネルを検出することができ、パネルの点灯検査方法として有用である。
【図面の簡単な説明】
【００８９】
【図１】本発明の実施の形態１におけるパネルの構造を示す分解斜視図
【図２】同パネルの電極配列図
【図３】同パネルの画像表示面における放電セルの配列を示した概略図
【図４】同パネルの各電極に印加する駆動電圧波形図
【図５】本発明の実施の形態１におけるサブフィールド構成の一例を示す図
【図６】本発明の実施の形態１における点灯検査装置の回路ブロック図
【図７】本発明の実施の形態１における書込みパタンの一例を示した図
【図８】本発明の実施の形態１における書込みパタンの他の例を示した図
【図９】本発明の実施の形態１における書込みパタンのさらに他の例を示した図
【図１０】本発明の実施の形態１における書込みパタンのさらに他の例を示した図
【図１１】本発明の実施の形態１における書込みパタンのさらに他の例を示した図
【図１２】本発明の実施の形態１における書込みパタンのさらに他の例を示した図
【図１３】本発明の実施の形態２における書込みパタンの一例を示した図
【図１４】本発明の実施の形態２における書込みパタンの他の例を示した図
【図１５】本発明の実施の形態２における書込みパタンのさらに他の例を示した図
【図１６】本発明の実施の形態２における書込みパタンのさらに他の例を示した図
【図１７】本発明の実施の形態２における書込みパタンのさらに他の例を示した図
【図１８】本発明の実施の形態２における書込みパタンのさらに他の例を示した図
【図１９】本発明の実施の形態２における書込みパタンのさらに他の例を示した図
【図２０】本発明の実施の形態２における書込みパタンのさらに他の例を示した図
【符号の説明】
【００９０】
１０    パネル
２１    （ガラス製の）前面板
２２    走査電極
２３    維持電極
２４，３３    誘電体層
２５    保護層
３１    背面板
３２    データ電極
３４    隔壁
３５    蛍光体層
５１    制御用コンピュータ
５２    データ電極駆動回路
５３    走査電極駆動回路
５４    維持電極駆動回路
５５    タイミング発生回路
５７    プログラマブルメモリ
【図１】
2007305442.tif 000003
【図２】
2007305442.tif 000004
【図３】
2007305442.tif 000005
【図４】
2007305442.tif 000006
【図５】
2007305442.tif 000007
【図６】
2007305442.tif 000008
【図７】
2007305442.tif 000009
【図８】
2007305442.tif 000010
【図９】
2007305442.tif 000011
【図１０】
2007305442.tif 000012
【図１１】
2007305442.tif 000013
【図１２】
2007305442.tif 000014
【図１３】
2007305442.tif 000015
【図１４】
2007305442.tif 000016
【図１５】
2007305442.tif 000017
【図１６】
2007305442.tif 000018
【図１７】
2007305442.tif 000019
【図１８】
2007305442.tif 000020
【図１９】
2007305442.tif 000021
【図２０】
2007305442.tif 000022